(57)【要約】【課題】  粉体現像剤を用いる画像形成装置において、浮遊トナーが画像形成装置の外部に排出されること、あるいは浮遊トナーによって画像形成装置の機能が低下することを防止する。【解決手段】  感光体ドラム３、現像ユニット２、帯電手段５、転写手段６、定着装置８が設けられた空間を、その外部の空間から隔離するための隔離壁１を設ける。これにより、粉体状態のトナー（定着装置８によって記録材に定着される前のトナー）が存在する空間を、その外部の空間から隔離する。【選択図】  図１
2006267944.tif 000002
【特許請求の範囲】
【請求項１】
静電潜像を形成される感光体と、上記感光体上に形成された静電潜像を、粉体現像剤を用いて可視像化する現像手段と、上記可視像化された画像を記録材に転写する転写手段と、上記記録材上の粉体現像剤を加熱溶融して定着させる定着手段とを備えた画像形成装置において、
上記記録材に定着される前の粉体現像剤が存在する空間を、その外部の空間から隔離する隔離手段を設けたことを特徴とする画像形成装置。
【請求項２】
上記隔離手段の外面に、当該隔離手段内の熱が外部へ放熱することを促進する放熱手段を設けたことを特徴とする請求項１に記載の画像形成装置。
【請求項３】
上記現像手段の熱が上記隔離手段に伝熱することを促進させるための伝熱部材を設けたことを特徴とする請求項２に記載の画像形成装置。
【請求項４】
上記定着手段内の熱が上記隔離手段内に拡散することを抑制するための断熱手段を設けたことを特徴とする請求項１に記載の画像形成装置。
【請求項５】
上記断熱手段は、
外包材の内側を真空にして密封した真空断熱手段、または、外包材の内側を大気圧以下に減圧して密封した減圧断熱手段であることを特徴とする請求項４に記載の画像形成装置。
【請求項６】
上記定着手段から上記隔離手段内に拡散する熱を回収し、回収した熱を、上記定着手段に備えられる加熱部材に供給する熱回収手段を備えていることを特徴とする請求項１に記載の画像形成装置。
【請求項７】
上記感光体を帯電させるための帯電手段を備えており、
上記帯電手段は、
当該帯電手段と上記感光体との間の空気を当該帯電手段内に吸引し、当該帯電手段内を通過させる吸引手段と、
上記吸引されて帯電手段内を通過した空気に含まれるオゾンを除去または分解するオゾン除去手段とを備え、
上記オゾン除去手段によってオゾンを除去または分解した後の空気を上記帯電手段から排出することを特徴とする請求項１に記載の画像形成装置。
【請求項８】
上記感光体の表面を露光して静電潜像を形成するための露光手段を、上記隔離手段の外部の空間に備えていることを特徴とする請求項１に記載の画像形成装置。
【請求項９】
原稿上の画像を読み取る画像読取手段を、上記隔離手段の外部の空間に備えていることを特徴とする請求項１に記載の画像形成装置。
【請求項１０】
上記現像手段は、
当該現像手段と上記感光体との間の空気を当該現像手段内に吸引する第２の吸引手段と、
上記現像手段内に吸引された空気中に含まれる粉体現像剤を除去する現像剤除去手段とを備え、
上記現像剤除去手段によって粉体現像剤を除去した後の空気を上記現像手段から排出することを特徴とする請求項１に記載の画像形成装置。
【請求項１１】
上記隔離手段は、
当該隔離手段内で露結した水分を外部に排出する排出孔を備え、かつ、上記定着手段の上部に位置する領域が、その領域に露結した水分を上記排出孔に導くように、鉛直方向に垂直な平面に対して傾斜していることを特徴とする請求項１に記載の画像形成装置。
【請求項１２】
上記排出孔に、上記隔離手段から排出される水分を通過させるとともに、上記粉体現像剤を除去する第２の現像剤除去手段を備えていることを特徴とする請求項１１に記載の画像形成装置。
【請求項１３】
上記隔離手段は、
当該隔離手段の内部に記録材を搬入する搬入手段と、当該隔離手段の外部に記録材を搬出する搬出手段とを備え、
上記隔離手段と上記搬入手段との間、および上記隔離手段と上記搬出手段との間に、隔離手段に浮遊した粉体現像剤が隔離手段の外部に排出されることを防止するためのシール材を備えていることを特徴とする請求項１に記載の画像形成装置。
【請求項１４】
上記隔離手段の内部の圧力を、当該隔離手段の外部の圧力と均等にするための均圧手段を備えていることを特徴とする請求項１に記載の画像形成装置。
【発明の詳細な説明】
【技術分野】
【０００１】
本発明は、電子写真記録方式や静電記録方式によって感光体上に形成された静電潜像を、粉体現像剤を用いて可視像化する画像形成装置に関するものである。
【背景技術】
【０００２】
従来より、複写装置やプリンター、ファクシミリ装置等の画像形成装置として、電子写真方式の画像形成装置が普及している。
【０００３】
電子写真方式の画像形成装置は、感光体ドラムの感光面を帯電装置によって帯電させ、帯電させた感光面を露光装置によって露光することで、この感光面に静電潜像を形成する。そして、形成した静電潜像を現像装置によって現像し、感光面にトナー像（可視像）を生成する。そして、このトナー像を、転写装置によってシート（記録材；普通紙やＯＨＰ記録紙等）に転写した後、定着装置によって定着するようになっている。
【０００４】
定着装置は、加熱および加圧によって記録紙などの記録媒体に対してトナーを定着させるものである。定着装置としては、定着（加熱）ローラと加圧ローラとの圧接領域に未定着トナー像が形成されたシートを通過させて定着を行うローラ対方式の定着装置が一般的である。
【０００５】
ところが、定着装置の熱が画像形成装置内に籠ってしまうと、画像形成装置における他の装置に悪影響を及ぼすという問題がある。そこで、画像形成装置内の熱を外部に排出するために、排気ファンを設ける場合が多い。例えば、特許文献１には、排熱用ファンを備えた画像形成装置において、排熱用ファンの送風路に膨張型消音器を設けることで、排熱用ファンの騒音を低減する技術が開示されている。
【０００６】
また、特許文献２には、画像形成装置本体の高温部から吸熱を行い、低温部に排熱する温度調節装置を備えることで、ファン冷却能力の低減またはファン自体の廃止を図る技術が開示されている。
【０００７】
また、特許文献３には、加圧ローラ側の面の熱吸収率がその反対側の熱吸収率よりも大きい熱良導体を、加圧ローラを囲むように配置する技術が開示されている。この技術では、熱良導体の内面の熱吸収率を高くすることで、加圧ローラからの熱を吸収し、吸収した熱を熱良導体の全域に均一に配分して加圧ローラに放射させるようになっている。また、外面の熱吸収率を内面より小さくすることで、加圧ローラからの熱が外部に放散しにくいようにしている。これにより、特許文献３では、熱の有効利用を図るとともに、機内昇温を抑えて、排熱ファンに要求される能力の低減が図られている。
【特許文献１】特開２００３−１５００２６号公報（２００３年５月２１日公開）
【特許文献２】特開平６−２５８９０４号公報（１９９４年９月１６日公開）
【特許文献３】特開平８−６３０１９号公報（１９９４年８月２６日公開）
【発明の開示】
【発明が解決しようとする課題】
【０００８】
しかしながら、上記従来の技術では、電子写真記録方式や静電記録方式によって感光体上に形成された静電潜像を、粉体現像剤（トナー）を用いて可視像化する画像形成装置において、画像形成装置内の熱を外部に放出するための排気ファンを設ける場合、画像形成装置内の浮遊トナーが周囲に放散されてしまい、画像形成装置の周囲の環境を汚染してしまうという問題がある。
【０００９】
特に、近年、画像品質を向上させるためにトナーの小粒径化、あるいは印刷速度の高速化が進んでいる。このため、画像形成装置内においてトナーの飛散・浮遊が生じやすく、画像形成装置からの排気に含まれる浮遊トナーが特に問題となっている。
【００１０】
また、上記特許文献２の技術では、画像形成装置内の高温部の熱を低温部へ排熱する温度調節装置を備えることで、ファン自体の廃止を図ることが記載されている。しかしながら、高温部の熱を十分に排熱できない場合には、装置内の温度が上昇して画像形成装置内の各部材に悪影響を与える可能性がある。また、ファンを設けない場合であっても、装置内で浮遊したトナーが、記録材の搬送経路等から装置外に排出される場合がある。また、ファンを廃止することが可能になったとしても、画像形成装置内の浮遊トナーが露光装置の光学部材等に付着して画像品質を低下させるといった問題が生じる場合がある。
【００１１】
本発明は、上記の問題点に鑑みてなされたものであり、その目的は、粉体現像剤を用いる画像形成装置において、浮遊トナーが画像形成装置の外部に排出されること、あるいは浮遊トナーによって画像形成装置の機能が低下することを防止することにある。
【課題を解決するための手段】
【００１２】
本発明の画像形成装置は、上記の課題を解決するために、静電潜像を形成される感光体と、上記感光体上に形成された静電潜像を、粉体現像剤を用いて可視像化する現像手段と、上記可視像化された画像を記録材に転写する転写手段と、上記記録材上の粉体現像剤を加熱溶融して定着させる定着手段とを備えた画像形成装置において、上記記録材に定着される前の粉体現像剤が存在する空間を、その外部の空間から隔離する隔離手段を設けたことを特徴としている。
【００１３】
上記の構成によれば、隔離手段によって、上記記録材に定着される前の粉体現像剤が存在する空間を、その外部の空間から隔離できる。これにより、画像形成装置１００内で未定着状態の粉体現像剤が浮遊しても、浮遊した粉体現像剤が上記隔離壁の外部に排出されることを防止できる。したがって、浮遊した粉体現像剤が画像形成装置の外部に排出されること、および、隔離壁の外部に備えられた構成部材に付着することを防止できる。それゆえ、画像形成装置の周辺環境が汚染されることや、浮遊トナーによって画像形成装置の機能が低下することを防止できる。
【００１４】
また、上記隔離手段の外面に、当該隔離手段内の熱が外部へ放熱することを促進する放熱手段が設けてもよい。
【００１５】
上記の構成によれば、粉体現像剤を隔離手段の外部に排出することなく、隔離手段内の熱を外部に放熱できる。これにより、隔離手段内の温度上昇を抑制することができる。
【００１６】
また、上記現像手段の熱が上記隔離手段に伝熱することを促進させるための伝熱部材を設けていてもよい。上記伝熱部材としては、上記隔離手段内の空気よりも熱伝導率の高い材質からなるものを用いることができる。
【００１７】
上記の構成によれば、現像手段内の熱が隔離手段に伝熱することを促進することにより、現像手段の温度が上昇することを抑制できる。
【００１８】
また、上記定着手段内の熱が上記隔離手段内に拡散することを抑制するための断熱手段を設けてもよい。例えば、上記断熱手段として、外包材の内側を真空にして密封した真空断熱手段、あるいは、外包材の内側を大気圧以下に減圧して密封した減圧断熱手段を用いることができる。
【００１９】
上記の構成によれば、定着手段内の熱が隔離手段内に拡散することを抑制することで、隔離手段内の温度が上昇することを抑制できる。また、定着手段における定着処理のための熱が、この定着手段の駆動系に回り込むなどして悪影響を及ぼすことを防止できる。
【００２０】
また、上記定着手段から上記隔離手段内に拡散する熱を回収し、回収した熱を、上記定着手段に備えられる加熱部材に供給する熱回収手段を備えてもよい。
【００２１】
上記の構成によれば、定着手段において加熱のために用いられるエネルギーを削減し、消費電力を低減することができる。
【００２２】
また、上記感光体を帯電させるための帯電手段を備えており、上記帯電手段は、当該帯電手段と上記感光体との間の空気を当該帯電手段内に吸引し、当該帯電手段内を通過させる吸引手段と、上記吸引されて帯電手段内を通過した空気に含まれるオゾンを除去または分解するオゾン除去手段とを備え、上記オゾン除去手段によってオゾンを除去または分解した後の空気を上記帯電手段から排出する構成としてもよい。
【００２３】
上記の構成によれば、帯電手段５において発生したオゾンが感光体の方向に排出されたりあるいは隔離手段内に滞留するなどして感光体の表面に達し、感光体表面に窒素酸化物を生成することを防止できる。したがって、感光体表面の帯電の均一性が低下し、感光体上で現像される画像の画像濃度が不安定になることを防止できる。
【００２４】
また、上記感光体の表面を露光して静電潜像を形成するための露光手段を、上記隔離手段の外部の空間に備えている構成としてもよい。
【００２５】
上記の構成によれば、浮遊した粉体現像剤が、露光手段内に備えられる光学部材に付着することを防止できる。したがって、浮遊した粉体現像剤が、露光手段内に備えられる光学部材に付着し、露光手段の光学系を汚染して画像形成精度が低下することを防止できる。
【００２６】
また、原稿上の画像を読み取る画像読取手段を、上記隔離手段の外部の空間に備えている構成としてもよい。
【００２７】
上記の構成によれば、隔離手段内に浮遊した粉体現像剤が画像読取手段に飛散することを防止できるので、粉体現像剤が画像読取手段に備えられる光学部材に付着するなどして画像読取精度を低下させることを防止できる。
【００２８】
また、上記現像手段は、当該現像手段と上記感光体との間の空気を当該現像手段内に吸引する第２の吸引手段と、上記現像手段内に吸引された空気中に含まれる粉体現像剤を除去する現像剤除去手段とを備え、上記現像剤除去手段によって粉体現像剤を除去した後の空気を上記現像手段から排出する構成としてもよい。
【００２９】
上記の構成によれば、上記第２の吸収手段によって、現像手段と感光体との間の空気を現像手段内に吸引することで、現像手段内の粉体現像剤が隔離手段内に飛散することを防止できる。また、第２の吸収手段によって吸収した空気から現像剤除去手段によって粉体現像剤を除去した後の空気を、現像手段の外部に排出することで、隔離手段内に浮遊・飛散する粉体現像剤の量を低減できる。
【００３０】
また、上記隔離手段は、当該隔離手段内で露結した水分を外部に排出する排出孔を備え、かつ、上記定着装置の上部に位置する領域が、その領域に露結した水分を上記排出孔に導くように、鉛直方向に垂直な平面に対して傾斜している構成としてもよい。
【００３１】
上記の構成によれば、例えば、記録材に含有されていた水分が定着手段で加熱されることによって蒸発し、蒸発した水蒸気が隔離手段における定着手段の上部に位置する領域で露結しても、露結した水分を上記の傾斜によって排出孔へ導き、排気孔から隔離手段の外部に排出することができる。したがって、隔離手段内に露結した水分が蓄積されることを防止できる。
【００３２】
また、上記排出孔に、上記隔離手段から排出される水分を通過させるとともに、上記粉体現像剤を除去する第２の現像剤除去手段を備えている構成としてもよい。
【００３３】
上記の構成によれば、隔離手段内の水分を外部に排出するとともに、隔離手段内で浮遊した粉体現像剤が隔離手段の外部に排出されることを防止できる。
【００３４】
また、上記隔離手段は、当該隔離手段の内部に記録材を搬入する搬入手段と、当該隔離手段の外部に記録材を搬出する搬出手段とを備え、上記隔離手段と上記搬入手段との間、および上記隔離手段と上記搬出手段との間に、隔離手段に浮遊した粉体現像剤が隔離手段の外部に排出されることを防止するためのシール材を備えている構成としてもよい。
【００３５】
上記の構成によれば、隔離手段内で浮遊している粉体現像剤が、搬入手段および搬出手段の周囲から隔離手段の外部に排出されることを防止できる。
【００３６】
また、上記隔離手段の内部の圧力を、当該隔離手段の外部の圧力と均等にするための均圧手段を備えている構成としてもよい。
【００３７】
上記の構成によれば、隔離手段内に浮遊した粉体現像剤が、隔離手段の外部に排出されることをより適切に防止できる。また、例えば、メンテナンス等で隔離手段を開放したときでも、隔離手段内で浮遊した粉体現像剤が、隔離手段の内部と外部との差圧によって急激に飛散することを防止できる。
【発明の効果】
【００３８】
本発明の画像形成装置は、記録材に定着される前の粉体現像剤が存在する空間を、その外部の空間から隔離する隔離手段を備えている。
【００３９】
それゆえ、浮遊した粉体現像剤が画像形成装置の外部に排出されること、および、隔離壁の外部に備えられた構成部材に付着することを防止できる。これにより、画像形成装置の周辺環境が汚染されることや、浮遊トナーによって画像形成装置の機能が低下することを防止できる。
【発明を実施するための最良の形態】
【００４０】
〔実施形態１〕
本発明の一実施形態について説明する。図１は、本実施形態にかかる画像形成装置１００の断面図である。なお、画像形成装置１００は、トナー（粉体現像剤）とキャリアとを含む２成分現像剤を用いて画像形成を行うものである。また、画像形成装置１００は、外部機器から入力される画像データに基づいてシート（記録材）に画像を形成するためのものである。
【００４１】
図１に示すように、画像形成装置１００は、感光体ドラム３、帯電手段５、光走査ユニット１１、現像ユニット２、転写手段６、クリーニングユニット４、除電ランプ１２、定着装置８等の画像形成プロセスの各機能を担うプロセスユニットを備えている。なお、帯電手段５、光走査ユニット（露光手段、露光光学系）１１、現像ユニット２、転写手段６、クリーニングユニット４および除電ランプ１２は、感光体ドラム３の周囲にこの順で配置されている。
【００４２】
また、画像形成装置１００は、感光体ドラム３、帯電手段５、現像ユニット２、転写手段６、クリーニングユニット４、除電ランプ１２、定着装置８を内包し、これらの各部材を外部の空間と隔離（遮蔽）する隔離壁（隔離手段）１を備えている。これにより、画像形成装置１００では、装置内の浮遊トナーが装置外へ排出されることを防止している。なお、隔離壁１の詳細については後述する。
【００４３】
帯電手段５は、感光体ドラム３上に光走査ユニット１１によって静電潜像を形成させるために、感光体ドラム３の表面を均一に帯電させる。なお、帯電手段５の詳細については後述する。
【００４４】
光走査ユニット（露光手段）１１は、画像読取装置３０によって読み取られた画像データや外部装置から受信した画像データに基づいて、感光体ドラム３にレーザー光を照射（露光）し、均一に帯電された感光体ドラム３上に光像を走査して静電潜像を書き込むものである。
【００４５】
現像ユニット２は、光走査ユニット１１によって感光体ドラム３上に書き込まれた静電潜像をトナー補給容器７から供給されるトナーによって顕像化し、感光体ドラム３上にトナー像を形成するものである。なお、現像ユニット２の詳細については後述する。
【００４６】
転写手段６は、感光体ドラム３上に顕像化されたトナー像をシート（記録材）上に転写（静電転写）するものである。
【００４７】
クリーニングユニット４は、感光体ドラム３上に残留したトナーを除去して感光体ドラム３上に新たな静電潜像およびトナー像を記録することを可能にするものである。また、除電ランプ１２は、感光体ドラム３表面の電荷を除去するものである。
【００４８】
定着装置８は、シートに転写されたトナー像を定着させるものである。定着装置８は、定着ローラ（加熱ローラ）８１と加圧ローラ８２とを備えており、転写手段６によってトナー像を転写されたシートを順次受け入れて、定着ローラ８１と加圧ローラ８２との間を通過させることにより、熱と圧力によりシート上に転写されたトナー像（現像画像）をシートに定着させるものである。これにより、シート上に画像が記録される。
【００４９】
また、定着装置８の周囲には、図１に示すように、断熱壁（断熱手段、真空断熱手段）８３が設けられている。図２は、断熱壁８３の要部の構成を示す断面図である。この図に示すように、断熱壁８３は、外壁部（外包材）８４・８４間の領域に第１の層（スペーサー材）８５および第２の層（スペーサー材）８６が形成されている。そして、外壁部８４・８４の内部は真空状態で密封されている。第１の層８５は、例えば、シリカ、パーシュライト、ケイ酸カルシウム、ケイソウ土などの無機質微粉末からなり、第２の層８６よりも定着装置８側に設けられている。また、スペーサー材８６は、例えば、連通気泡ウレタンフォームからなる。なお、スペーサー材８６は、これに限るものではなく、有機物であっても無機物であってもよいが、気泡径が十分に小さく、完全に連通化しているものを用いることが好ましい。
【００５０】
また、画像形成装置１００の下部には、画像形成装置１００本体内に内装された供給トレイ１０が配置されている。
【００５１】
供給トレイ１０は、シート（記録材）を収容する記録材収容トレイである。供給トレイ１０に収容されたシートは、ピックアップローラ１６等により１枚ずつ分離され、搬送ローラ（搬入手段）２４を介してレジストローラ１４に搬送され、レジストローラ１４によって感光体ドラム３上に形成されたトナー像がシートの所定の位置に転写されるようにタイミングが計られて、転写手段６と感光体ドラム３との間に順次供給される。そして感光体ドラム３上に記録再現されたトナー像はシート上に転写される。なお、供給トレイ１０へのシートの補給は、画像形成装置１００の正面側（操作側）に、供給トレイ１０を引き出して行う。
【００５２】
また、定着装置８によってトナー像を定着されたシート（画像が記録されたシート）は、搬送ローラ（搬出手段）２５によってさらに搬送され、切換えゲート９を通過する。そして、シートの排出先が画像形成装置１００の外装に備えられた積載トレイ１５に設定されている場合は、反転ローラ２６により積載トレイ１５に排出される。
【００５３】
また、画像形成装置１００には、画像形成装置１００に備えられた各部材の動作を制御する回路基板および外部機器からの画像データを受け入れるインターフェイス基板（ともに図示せず）等を備えた制御部１１０が備えられている。上記インターフェイスは、無線通信あるいは有線通信によって、パーソナルコンピュータやファクシミリ装置などの外部機器と通信を行うものである。これにより、画像形成装置１００は、外部機器から受信したデータに基づく画像を画像形成装置１００によってシート上に記録できるようになっている。
【００５４】
また、画像形成装置１００には、画像形成装置１００に備えられた各部材に対して電力を供給する電源装置１１１が設けられている。
【００５５】
次に、隔離壁１について詳細に説明する。図１に示したように、隔離壁１は、感光体ドラム３、帯電手段５、現像ユニット２、転写手段６、クリーニングユニット４、除電ランプ１２、定着装置８を内包し、これらの各部材が形成された空間を、隔離壁１の外部の空間から遮蔽するように設けられている。なお、隔離壁１の材質は特に限定されるものではないが、隔離壁１内の熱を隔離壁１の外部に効果的に放散できるように、伝熱係数の大きい材質を用いることが好ましい。また、隔離壁１は、例えば隔離壁１内に内包される各部材のメンテナンス時や、隔離壁１内で搬送ジャムが発生した場合などには、開放して内部を露出できるようになっている。
【００５６】
図３は、搬送ローラ２４および隔離壁１を、シート搬送方向上流側から見た平面図である。この図に示すように、搬送ローラ２４は互いに当接するように設けられた２つのローラ２４ａ，２４ｂからなり、ローラ２４ａと２４ｂとの間にシートを挟持しながら、ローラ２４ａおよび２４ｂを互いに逆方向に回転させることで、シートを搬送するようになっている。
【００５７】
また、ローラ２４ａおよび２４ｂの回転軸方向（延在方向）の両端部における隔離壁１との間には、フェルトからなるシール材１０１が設けられている。また、ローラ２４ａおよび２４ｂの側面（両ローラの当接面と反対側の面）における隔離壁１との間には、ポリエチレンテレフタレートフィルム（例えば、デュポン社のマイラーフィルム（商品名））等の可撓性を有する材質からなるシール材１０２が設けられている。そして、搬送ローラ２４ａおよび２４ｂは、シール材１０１およびシール材１０２と摺動するようになっている。
【００５８】
なお、ここでは搬送ローラ２４と隔離壁１との間に備えられるシール材１０１，１０２について説明したが、搬送ローラ２５と隔離壁１との間にも同様のシール材が備えられている。
【００５９】
また、隔離壁１における、光走査ユニット１１から感光体ドラム３へ照射されるレーザー光の通過部分には、透明なガラス等からなる透明カバー部材（カバーガラス）２７が形成されている。そして、光走査ユニット１１は、この透明カバー部材２７を介して隔離壁１の外側に設けられている。なお、この透明カバー部材２７は、隔離壁１の一部として備えられるものであってもよく、光走査ユニット１１に備えられ、隔離壁１に設けられた開口部に装着されるものであってもよい。
【００６０】
また、隔離壁１の外面における現像ユニット２の下部には、放熱フィン（放熱部材）２９ａが設けられている。また、現像ユニット２と隔離壁１との間には、例えばアルミニウムなどの伝熱係数の大きい材質からなる伝熱部材２８が挟持されている。
【００６１】
また、隔離壁１における定着装置８の側方外面には、隔離壁１の内部と隔離壁１の外部との間での熱交換を促進させるための放熱フィン（放熱部材）２９ｂが備えられている。また、画像形成装置１００には、この放熱フィン２９ｂによって隔離壁１の外部に放散された熱を、画像形成装置１００の外部に放散させるためのファン（送風手段）１１３が備えられている。
【００６２】
また、隔離壁１における定着装置８の上方面は、放熱フィン２９ａに近づくほど低くなるように傾斜した構造になっている。そして、この上方面における放熱フィン２９ａとの近接部には、水分を隔離壁１の外部に形成された放熱フィン２９ｂの近傍に排出するドレーン孔（排出孔）１１２が設けられている。また、ドレーン孔１１２には、水分を通過させる一方、トナーが隔離壁１の外部に排出されることを防止するためのフィルタ手段（図示せず）が設けられている。また、このドレーン孔１１２により、隔離壁１の内部と外部とは均等な圧力に保たれている。
【００６３】
次に、画像形成装置１００に備えられる帯電手段５の詳細について説明する。図４は、帯電手段５の斜視図である。図５は、帯電手段５の断面図である。図６（ａ）は図５に示したＡ−Ａ断面を感光体ドラム３側から見た断面図であり、図６（ｂ）はこのＡ−Ａ断面を図６（ａ）とは反対側から見た断面図である。図７は、帯電手段５を側方から見た平面図である。
【００６４】
図４に示すように、帯電手段５は、ケース５１、支持部材５２、鋸歯電極（放電手段）５３、グリッド電極５４を備えている。
【００６５】
鋸歯電極５３は、電圧の印加により放電を行う、いわゆる帯電電極である。鋸歯電極５３は、尖突形状の放電電極５３ａを複数有しており、これら放電電極５３ａが一定方向に配列した鋸歯形状をしている。また、鋸歯電極５３は、ケース５１内の支持部材５２によって、帯電手段５を画像形成装置１００に配設したときに、放電電極５３ａの先端部（尖端部）が感光体ドラム３の方向を向くように支持されている。そして、この鋸歯電極５３に、図示しない高圧電源から電圧を印加することにより、感光体ドラム３との間でコロナ放電を生じるようになっている。
【００６６】
ケース５１は、帯電手段５を画像形成装置１００に配設したときに感光体ドラム３側となる部分、すなわち放電電極５３ａの尖端部方向の部分が開口しており、この開口部分にはグリッド電極５４が配設されている。
【００６７】
グリッド電極５４は、ワイヤメッシュを電極として配置したものであり、鋸歯電極５３に接続された高圧電源とは異なる電源（図示せず）に接続されている。グリッド電極５４には、この電源からバイアス電圧（グリッド電圧）が印加される。そして、グリッド電極５４は、このグリッド電圧により、コロナイオン流を制御し、感光体ドラム３へ到達するイオン量を調節する。
【００６８】
また、図５に示すように、ケース５１における、グリッド電極５４が備えられる面とは反対側の面には、ダクト５７が配設されている。なお、ケース５１および支持部材５２におけるダクト５７側の面には、開口部５５および５６が設けられている（図５，図６（ａ），図６（ｂ）参照）。
【００６９】
ダクト５７は、図７に示すように、長手方向の一端側が閉塞しており、他端側にはオゾンフィルタ５８およびファン５９が設けられている。
【００７０】
オゾンフィルタ５８は、帯電手段５において放電生成物として発生したオゾンを吸収（吸着）するものである。オゾンフィルタ５８としては、例えば、東洋紡社のＫＦハニカムオゾンフィルタ（商品名）などの活性炭方式のオゾンフィルタを用いる。
【００７１】
ファン５９は、ダクト５７内の空気を吸引し、オゾンフィルタ５８を介して帯電手段５の外部に排出するものである。これにより、図５および図７に破線の矢印で示したように、ケース５１における感光体ドラム３側の開口部（グリッド電極５４が設けられた開口部）から空気が吸引され、吸引された空気は鋸歯電極５３の周囲を通過してダクト５７へ導かれ、オゾンフィルタ５８によってオゾンを吸収・除去された後、帯電手段５の外部に排出される。
【００７２】
次に、画像形成装置１００に備えられる現像ユニット２の詳細について説明する。図８は、現像ユニット２の概略構成を表す断面図である。
【００７３】
この図に示すように、現像ユニット２は、現像ローラ６１、撹拌ローラ６２および６３、トナー濃度センサー６４、現像槽６０ａ、ファン６７などを備えている。
【００７４】
現像槽６０ａは、トナーおよびキャリアを収容するための収容槽であり、現像槽６０ａ内には、現像ローラ６１、撹拌ローラ６２，６３が備えられている。また、現像槽６０ａにおける撹拌ローラ６２と対向する位置には、トナー濃度センサー６４が備えられている。また、現像槽６０ａにおける、撹拌ローラ６３の上部には開口部が設けられており、この開口部を介してトナー補給容器７からトナーが供給されるようになっている。
【００７５】
また、現像槽６０ａは感光体ドラム３に近接して配置されており、この現像槽６０ａにおける感光体ドラム３との対向面には、開口部が設けられている。なお、
この開口部における感光体ドラム３の回転方向下流側の縁部と感光体ドラム３との間隔は２ｍｍ以下に設定されている。上記間隔を２ｍｍ以下とすることにより、感光体ドラム３の回転によって現像槽６０ａ内から外部へ流出する空気流を抑制でき、トナーの飛散を抑えることができる。
【００７６】
現像ローラ６１は、現像槽６０ａにおける感光体ドラム３との対向面に設けられた開口部から一部が露出し、この露出した部分が感光体ドラム３と対向するように設けられた、円筒状の回転ローラである。現像ローラ６１は、現像槽６０ａ内に収容されているトナーを担持して上記露出部における感光体ドラム３との対向部に搬送する。これにより、感光体ドラム３上に形成された静電潜像に、トナーを付着させて、感光体ドラム３上の静電潜像を現像してトナー像を形成する。なお、現像ローラ６１は、図８に示した矢印の方向に回転する。
【００７７】
撹拌ローラ６２，６３は、現像槽６０ａ内のトナーを撹拌することで、トナーを微小に帯電させるとともに、トナーを現像ローラ６１へ搬送するものである。
【００７８】
トナー濃度センサー６４は、現像槽６０ａ内のトナー濃度を検出するセンサーであり、検出した結果を制御部１１０に伝達する。制御部１１０は、この検出結果に基づいて、トナー補給容器７に設けられた補給ローラ（図示せず）を駆動し、必要量のトナーをトナー補給容器７から現像槽６０ａに補給させる。
【００７９】
ファン６７は、図８に破線の矢印で示したように、感光体ドラム３と現像槽６０ａとの隙間から通じて外気が現像槽６０ａ内に流入するように、現像槽６０ａ内の空気を吸引して現像ユニット２の外部へ排気するものである。
【００８０】
現像槽６０ａにおける現像ローラ６１の下方の部分には、感光体ドラム３および現像ローラ６１の軸方向の略全体に渡る排気ダクト６９が設けられている。また、現像槽６０ａにおける排気ダクト６９との対向面には、中央部吸気口６５および両端部吸気口６６が設けられている。図９は、現像槽６０ａにおける、中央部吸気口６５および両端部吸気口６６が設けられた部分を現像ローラ６１側から見た平面図である。この図に示すように、中央部吸気口６５は現像槽６０ａにおける現像ローラ６１の長手方向の中央部付近に設けられており、両端部吸気口６６・６６は現像槽６０ａにおける現像ローラ６１の長手方向の中央部付近にそれぞれ設けられている。また、この図に示すように、排気ダクト６９の側面にはトナーフィルタ（第２の現像剤除去手段）６７ａとファン６７とが設けられている。
【００８１】
感光体ドラム３と現像槽６０ａとの隙間から現像槽６０ａ内に流入した空気は、現像ローラ６１の周囲を通り、現像槽６０ａの下面に設けられた中央部吸気口６５および両端部吸気口６６を通って排気ダクト６９に入った後、トナーフィルタ６７ａによってトナーが除去（除塵）されて現像ユニット２の外へ排出される。
【００８２】
以上のように、画像形成装置１００は、感光体ドラム３、帯電手段５、現像ユニット２、転写手段６、クリーニングユニット４、除電ランプ１２、定着装置８を内包し、これらの各部材が形成された空間を、その外部の空間から隔離（遮蔽）する隔離壁１が設けられている。つまり、隔離壁１によって、粉末状態（粉体状態）のトナーを使用する空間（定着装置８によってシートに定着される前のトナー（未定着トナー）が存在する空間）を、その外部の空間から隔離している。これにより、画像形成装置１００内で浮遊あるいは飛散したトナーが、画像形成装置１００の外部に排出されることを防止できる。
【００８３】
また、画像形成装置１００は、隔離壁１における定着装置８の側方に位置する領域に、隔離壁１内の熱を隔離壁１の外部に放散させるための放熱フィン（放熱手段）２９ｂを備えている。これにより、定着装置８から隔離壁１の内部に放散された熱の、隔離壁１の外部への放熱を促進でき、隔離壁１内の温度上昇を抑制できる。
【００８４】
また、画像形成装置１００は、隔離壁１における現像ユニット２の下方に位置する領域に、隔離壁１内の熱を隔離壁１の外部に放散させるための放熱フィン２９ａを備えている。また、現像ユニット２と隔離壁１との間には、現像ユニット２内の熱を隔離壁１に効果的に伝熱させるための、アルミニウム等の伝熱係数の大きい材質からなる伝熱部材２８が設けられている。これにより、現像ユニット２内の熱を、伝熱部材２８を介して隔離壁１に伝熱させ、隔離壁１の外面に設けた放熱フィン２９ａによって隔離壁１の外部に効果的に放散させることができるようになっている。
【００８５】
なお、本実施形態では、伝熱部材２８を現像ユニット２と隔離壁１との間にのみ設けているが、これに限らず、隔離壁１内の他の部材と隔離壁１との間にさらに伝熱部材２８を設けてもよい。また、本実施形態では、現像ユニット２の下部および定着装置８の側方にのみ、放熱フィンが設けられているが、これに限らず、隔離壁１の周囲にさらに放熱フィンを設けてもよい。また、隔離壁１に備えられる放熱手段は、放熱フィンに限るものではなく、隔離壁１の表面積を増大させるなどして、隔離壁１内の熱が外部に放熱されることを促進できるものであればよい。
【００８６】
また、画像形成装置１００では、定着装置８の周囲に断熱壁８３を設けている。これにより、定着装置８内の熱が隔離壁１内に拡散することを防止でき、隔離壁１内の温度上昇を抑制することができる。また、定着ローラ８１や加圧ローラ８２の熱が、定着装置８の図示しない駆動系等に伝熱され（回り込み）、悪影響を及ぼすことを防止できる。
【００８７】
なお、断熱壁８３の構成は、図２に示した構成に限るものではない。例えば、断熱壁８３を、図１０に示すように、外壁部（外包材）８４によって密閉された中空部分に波形形状からなるスペーサー材８７を備え、この中空部分を真空状態としたものを用いてもよい。また、この場合、外壁部８４およびスペーサー材８７として、例えばステンレス等の金属材料を用い、スペーサー材８７と外壁部８４との当接部をスポット溶接によって接合してもよい。また、スペーサー材８７に代えて、例えばガラスビーズなどのスペーサー（図示せず）を用いてもよい。また、上記した各構成の断熱壁８３では、外包材の内側を真空にして密封した真空断熱壁（真空断熱手段）を用いているが、これに限らず、外包材の内側を大気圧以下に減圧して密封した減圧断熱手段を用いてもよい。あるいは、上記した構成の断熱手段に限らず、種々の断熱手段を用いることができる。
【００８８】
また、定着装置８において、断熱壁８３を通過して隔離壁１内に放散される熱を回収し、回収した熱エネルギーを定着ローラ（加熱部材）８１および／または加圧ローラ（加熱部材）８２に供給する熱回収手段を設けてもよい。このような熱回収手段としては、例えば、図１１（ａ）に示すように、定着装置８の周囲に配設されるヒートポンプ８７を用いることができる。
【００８９】
図１１（ｂ）は、ヒートポンプ８７の概略構成を示す説明図である。この図に示すように、ヒートポンプ８７は、コンプレッサー（圧縮機）８７ａ、放熱部８７ｂ、膨張弁８７ｃ、吸熱部８７ｄを備えており、ヒートポンプ８７の内部には作動流体（図示せず）が封入されている。
【００９０】
コンプレッサー８７ａは、飽和蒸気状態の作動流体を圧縮するものである。コンプレッサー８７ａによって圧縮されて液体状態となった作動流体は、放熱部８７ｂに送られる。放熱部８７ｂは、加圧ローラ８２の近傍あるいは加圧ローラ８２内部に設けられており、作動流体と加圧ローラ８２との間で熱交換を行い、作動流体の熱を加圧ローラ８２に放熱させるものである。なお、放熱部８７ｂで放熱して冷却された作動流体は飽和液体となって膨張弁８７ｃへ送られる。そして、膨張弁８７ｃで膨張した作動流体は、湿り蒸気状態となって吸熱部８７ｄへ送られる。吸熱部８７ｄは、断熱壁８３に近接して設けられており、定着装置８の内部から断熱壁８３を通過した熱を作動流体に吸収（吸熱）させる。そして、吸熱部８７ｄで断熱壁８３からの熱を吸熱した作動流体は、再び飽和蒸気となってコンプレッサー８７ａへ送られ、上記した各動作を繰り返す。
【００９１】
このように、ヒートポンプ８７は、定着装置８から断熱壁８３を通過して放散される熱を回収し、回収した熱を加圧ローラ８２に供給する。これにより、定着装置８において加熱のために用いられるエネルギーを削減し、消費電力を低減することができる。
【００９２】
また、定着ローラ８１および加圧ローラ８２を駆動するための図示しないギヤ（ギヤトレーン）は、熱伝導率の小さい物質で形成することが好ましい。例えば、耐熱性材料であるＰＰＳ（ポリフェニレンスルフィド）に、粒径３０μｍ〜７０μｍ程度のガラス中空球（例えば住友スリーエム社のスコッチライト（商品名））を体積比で２０％〜３０％配合して成形したものを用いる。なお、必要に応じてガラスフィラー等を配合し、強度を向上させてもよい。
【００９３】
また、画像形成装置１００は、コロナ放電方式の帯電手段５を用いている。コロナ放電を用いる帯電手段では、放電生成物としてオゾンが発生することが知られている。そして、帯電手段で発生したオゾンが感光体ドラム３の表面に達すると、感光体ドラム３の表面に窒素酸化物が生成され、感光体ドラム３における帯電の均一性が低下し、感光体ドラム３上に形成されるトナー像の画像濃度が不安定になる場合がある。
【００９４】
そこで、本実施形態にかかる画像形成装置１００では、帯電手段５に、オゾンフィルタ５８およびファン５９を備えている。そして、ファン５９によって、帯電手段５における感光体ドラム３との対向面に設けられた開口部から帯電手段５内に空気を吸引し、吸引した空気を、鋸歯電極５３の周囲を通過させてオゾンフィルタ５８に導き、オゾンフィルタ５８を通過させてオゾンを吸収・除去した後、帯電手段５の外部に排出する。
【００９５】
これにより、帯電手段５（鋸歯電極５３）におけるコロナ放電によって発生したオゾンが感光体ドラム３の方向に排出されたり、あるいは隔離壁１内にオゾンが滞留するなどして感光体ドラム３の表面に達し、窒素酸化物を生成することを防止できる。
【００９６】
なお、本実施形態では、オゾンフィルタ５８として活性炭方式のオゾンフィルタを用いているが、これに限るものではなく、オゾンを除去できるものであればよい。例えば、東洋紡社のＣＡＯフィルタ（商品名）などの触媒方式のオゾンフィルタを用いてもよい。また、オゾンフィルタ５８に代えて、オゾンを非汚染物質に分解する手段を設けてもよい。
【００９７】
また、本実施形態ではコロナ放電方式の帯電手段５を用いているが、これに限るものではなく、接触帯電式の帯電手段を用いてもよい。例えば、図１２に示すように、コロナ放電方式の帯電手段５に代えて、接触帯電式の帯電手段である帯電ローラ（帯電手段）５ａを設けてもよい。なお、接触帯電方式の帯電手段としては、帯電ローラ以外にも、例えば、帯電ブラシを用いたものなどを用いることができる。
【００９８】
接触帯電方式の帯電手段を用いる場合、帯電手段に対する印加電圧および電流量を、コロナ放電方式の帯電手段の場合よりも低くできる。したがって、電源供給手段の小型化、や消費電力の低減を図れるとともに、オゾン発生量を少なく抑えられる。
【００９９】
また、接触帯電方式の帯電手段を用いる場合でも、ファン５９によって帯電ローラ５ａの周囲の空気をオゾンフィルタ５８に導き、帯電手段で発生したオゾンを吸収・除去することが好ましい。これにより、オゾンが隔離壁１内に滞留するなどして感光体ドラム３の表面に達することをより確実に防止できる。
【０１００】
また、画像形成装置１００では、光走査ユニット１１が、透明カバー部材２７を介して隔離壁１の外側に設けられている。これにより、隔離壁１内で浮遊（飛散）したトナーが、光走査ユニット１１に備えられる各光学部材に付着し、光走査ユニット１１の光学系を汚染して画像形成精度が低下することを防止できる。
【０１０１】
また、画像形成装置１００に備えられる現像ユニット２は、現像槽６０ａと感光体ドラム３との隙間の空気を現像槽６０ａ内に吸入するファン（第２の吸引手段）６７を備えている。これにより、現像槽６０ａ内のトナーが、現像槽６０ａの外部に飛散することを抑制できる。
【０１０２】
また、現像ユニット２は、トナーを除去するためのトナーフィルタ（現像剤除去手段）６７ａを備えている。これにより、現像槽６０ａと感光体ドラム３との隙間から吸入した空気からトナーを除去して現像ユニット２の外部に排出することができる。したがって、隔離壁１内に浮遊・飛散するトナーの量を低減できる。
【０１０３】
また、画像形成装置１００では、隔離壁１における定着装置８の上方面が、鉛直方向に垂直な平面に対して傾斜した構造になっている。また、この傾斜した上方面における鉛直方向の高さが低い位置には、水分を隔離壁１の外部に排出するためのドレーン孔（排気孔）１１２が設けられている。
【０１０４】
これにより、シートが定着装置８で加熱されることによって、シートに含有されていた水分が蒸発し、蒸発した水蒸気が隔離壁１における定着装置８の上方面で露結しても、露結した水分を上方面の傾斜によってドレーン孔１１２へ導き、ドレーン孔１１２から隔離壁１の外部に排出することができる。
【０１０５】
また、ドレーン孔１１２には、水分を通過させる一方、トナーが隔離壁１の外部に排出されることを防止するためのフィルタ手段が設けられている。これにより、隔離壁１内で浮遊あるいは飛散したトナーが隔離壁１の外部に排出されることを防止できる。
【０１０６】
また、隔離壁１の外面におけるドレーン孔１１２の近傍には、上記した放熱フィン２９ｂが設けられている。また、画像形成装置１００には、画像形成装置１００内における隔離壁１の外部の空気を、画像形成装置１００の外部に排出するためのファン１１３が備えられている。これにより、ドレーン孔１１２から排出された水分を、放熱フィン２９ｂで蒸発させ、ファン１１３によって画像形成装置１００の外部に排出できる。
【０１０７】
また、隔離壁１と搬送ローラ２４との間、および、隔離壁１と搬送ローラ２５との間には、隔離壁１内の浮遊トナーが隔離壁１の外部に排出されることを防止するためのシール材１０１，１０２が設けられている。これにより、隔離壁１内で浮遊あるいは飛散しているトナーが、搬送ローラ２４および搬送ローラ２５の周囲から隔離壁１の外部に飛散することを防止できる。
【０１０８】
なお、本実施形態では、フェルトからなるシール材１０１と、ポリエチレンテレフタレートフィルムからなるシール材１０２を用いているが、シール材１０１および１０２の材質はこれに限るものではない。ただし、シール材１０１およびシール材１０２は、搬送ローラ２４ａおよび２４ｂの表面を傷つけにくく、また、搬送ローラ２４ａおよび２４ｂと摺動しても磨耗，破損等を生じにくい材質であることがこのましい。また、搬送ローラ２４ａおよび２４ｂとの摩擦抵抗が小さいことが好ましい。
【０１０９】
また、画像形成装置１００では、上記したドレーン孔１１２により、隔離壁１の内部と外部とは均等な圧力に保たれている。つまり、ドレーン孔１１２は、隔離壁１の内部の圧力を隔離壁１の外部の圧力と均等にするための均圧手段として機能する。これにより、隔離壁１の浮遊トナーが隔離壁１の外部に排出されることを、より適切に防止できる。また、メンテナンス等で隔離壁１を開放したときでも、隔離壁１内で浮遊したトナーが、隔離壁１の内部と外部との差圧によって急激に飛散することを防止できる。
【０１１０】
なお、本実施形態では、隔離壁１の内部と外部とを均等な圧力に保つための均圧手段としてドレーン孔１１２を用いているが、これに限るものではない。例えば、上記したシール材１０１および１０２を均圧手段として、機能させてもよい。つまり、シール材１０１および１０２として、浮遊したトナーが隔離壁１の外部に排出されることを確実に防止でき、かつ、通気性を有する材質を用いることで、隔離壁１の内部と外部とが均等な圧力に保たれるようにしてもよい。また、隔離壁１内で浮遊したトナーを隔離壁１の外部に排出させることなく、隔離壁１の内部と外部とが均等な圧力に保つことのできる他の手段を設けてもよい。
【０１１１】
また、画像形成装置１００は、各種周辺機器を拡張機器として装着できるようになっている。例えば、図１３に示すように、画像読取装置（画像読取手段、読取光学系）３０、記録材供給装置７０、記録材供給装置７６、記録材再供給搬送装置９０、中継搬送装置９１、後処理装置などを着脱自在に装着することができる。また、制御部１１０が、画像形成装置１００の各部の動作と、装着される各拡張機器の動作とを連動させて統括的に制御できるようになっている。
【０１１２】
画像読取装置３０は、図１３に示すように、透明ガラスからなる原稿載置台３５、原稿載置台３５上へ自動的に原稿を供給搬送するための自動原稿搬送装置３６、及び原稿載置台３５上に載置された原稿の画像を走査して読み取るための原稿画像読み取りユニット、すなわちスキャナユニット４０から構成されている。これにより、画像読取装置３０は、透明な原稿載置台３５上にセットされた原稿の画像を露光走査して光電変換素子上に結像し、原稿画像を電気的信号に変換した上で画像データとして画像形成装置１００へと送られ、画像データに対して所定の画像処理が施される。
【０１１３】
自動原稿搬送装置３６は、所定の原稿トレイ（図示せず）上に複数枚の原稿を一度にセットしておき、セットされた原稿を１枚ずつ自動的に原稿載置台３５上へ給送する装置である。そして、スキャナユニット４０による原稿画像の読み取りが行われた後、所定の取り出し位置にまで搬出する機能を有している。
【０１１４】
スキャナユニット４０は、原稿載置台３５上に搬送された原稿の画像を、１ライン毎に読み取る原稿画像読み取りユニットである。そして、図１３に示すように、第１走査ユニット４０ａ，第２走査ユニット４０ｂ，光学レンズ４３およびＣＣＤ４４を有している。
【０１１５】
第１走査ユニット４０ａは、原稿載置台３５に沿って左から右へと一定速度Ｖで移動しながら原稿を露光するものである。そして、図１３に示すように、光を照射するためのランプリフレクターアセンブリ４１と、原稿からの反射光を第２走査ユニット４０ｂに導く第１の反射ミラー４２ａとを有している。
【０１１６】
第２走査ユニット４０ｂは、第１走査ユニット４０ａに追随してＶ／２の速度で移動するようになっている。そして、第１の反射ミラー４２ａに反射される光を光学レンズ４３およびＣＣＤ４４の方向へ導くための、第２・第３の反射ミラー４２ｂ・４２ｃを備えている。
【０１１７】
光学レンズ４３は、この第３の反射ミラー４２ｃに反射される光を、ＣＣＤ４４上で結像させるものである。
【０１１８】
ＣＣＤ（光電変換素子）４４は、光学レンズ４３によって結像された光を、電気信号（電気的画像信号）に変換するためのものである。このＣＣＤ４４によって得られたアナログの電気信号は、ＣＣＤ４４を備えたＣＣＤボード（図示せず）によってデジタル信号の画像データに変換される。そして、この画像データは、画像処理部において各種の画像処理が施された後にメモリに記憶される（図示せず）。そして、制御部１１０の指示に応じて、画像形成装置１００に伝達されるように設定されている。
【０１１９】
また、原稿面の上面に対して原稿を露光する光源、光像を光電変換素子まで導く光学レンズ、光像を画像データに変換する光電変換素子などから一体的に構成される密着イメージセンサ（ＣＩＳ、図示せず）を自動原稿搬送装置に具備している。これにより、画像読取装置３０は、自動原稿搬送装置によって原稿搬送経路に沿って原稿を搬送する過程において、原稿の下方および上方から、原稿画像を同時に走査して読み取ることができるようになっている。
【０１２０】
このように、画像読取装置３０は、自動原稿搬送装置３６とスキャナユニット４０との互いに関連した動作により、原稿載置台３５上に読み取るべき原稿を順次載置させながら、原稿載置台３５の下面に沿ってスキャナユニット４０を移動させて原稿画像を読み取るように構成されている。
【０１２１】
また、画像読取装置３０は、自動読取モードと、手動読取モードとを備えている。自動読取モードは、シート状の原稿を、自動原稿搬送装置により自動的に供給して１枚ずつ順次露光走査して原稿画像を読み取る方式である。手動読取モードは、書籍等の原稿、もしくは自動原稿搬送装置により自動供給が不可能なシート状の原稿等をマニュアル操作により原稿載置台３５上にセットして原稿画像を読み取る方式である。
【０１２２】
なお、画像形成装置１００では、隔離壁１によって、装置内の浮遊トナーが画像読取装置３０に飛散することを防止できるので、浮遊トナーが画像読取装置３０に備えられる各光学部材（レンズ、ミラー等）に付着するなどして画像読取精度を低下させることを防止できる。
【０１２３】
記録材供給装置７０は、画像形成装置１００によって記録材として用いられるシートを収容する記録材収容トレイであり、図１３に示すように、記録材供給部７１〜７３と記録材排出部７４とにより構成されている。これらの記録材供給部には、例えば、サイズや材質の異なるシートをそれぞれ収容することもできる。また、記録材供給装置７０は、画像形成装置１００を載置するデスク機能を有するユニットでもあり、画像形成装置１００に着脱自在となっている。
【０１２４】
記録材供給部７１〜７３は画像形成装置１００に供給するためのシート（記録材）を収容している。記録材供給装置７０は、記録材供給装置６０は、画像形成装置１００に備えられた制御部１１０に応じて、選択された記録材供給部７１〜７３のピックアップローラ７５等を選択的に動作させ、記録材供給部７１〜７３に収容されたシートを、記録材排出部７４に向かって分離供給する。また、記録材排出部７４から排出されるシートは、画像形成装置１００の下部に設けられたシート受口１７へ受け渡される。
【０１２５】
なお、図１に示したように、画像形成装置１００の下面には、記録材供給装置７０から送られてくるシートを受け入れ、感光体ドラム３と転写手段６との間（転写部）に向かってシートを順次供給するためのシート受口１７が設けられている。これにより、画像形成装置１００は、記録材供給装置７０から送られてくるシートに対して、供給トレイ１０に収容されているシートに画像形成を行う場合と同様の処理を行うことができる。
【０１２６】
記録材供給部７１〜７３にシートを補給する場合、あるいは記録材供給部７１〜７３に収容されているシートを交換する場合には、記録材供給装置７０本体の前面側方向に記録材供給部７１〜７３を引き出して行う。
【０１２７】
なお、ここでは、記録材供給装置７０は３つの記録材供給部７１〜７３により構成されているが、少なくとも１つ、もしくはそれ以上の記録材供給部と記録材排出部とからなる構成としてもよい。
【０１２８】
記録材供給装置７６は、図１３に示すように、記録材供給部７７、記録材排出部７８を備えている。記録材供給部７７はシートを収容する記録材収容トレイである。なお、記録材供給装置８１は、画像形成装置１００に内装された供給トレイ１０、あるいは記録材供給装置７０の記録材供給部７１〜７３に収容できるシートの量よりも大量のシートを収容することができるようになっている。
【０１２９】
記録材供給装置７６は、画像形成装置１００に備えられた制御部１１０からの指示に応じて、ピックアップローラ７９等を動作させ、記録材供給部７７に収容されたシートを、記録材供給装置７６の右側面上部に設けられた記録材排出部７８に向かって分離供給する。また、記録材排出部７８から排出されるシートは、画像形成装置１００の下部に設けられた拡張記録材受入部１８へ受け渡される。
【０１３０】
なお、図１に示したように、画像形成装置１００の側面下部には、記録材供給装置７６から送られてくるシートを受け入れ、感光体ドラム３と転写手段６との間（転写部）に向かってシートを順次供給するための拡張記録材受入部１８が設けられている。これにより、画像形成装置１００は、記録材供給装置７６から送られてくるシートに対して、供給トレイ１０に収容されているシートに画像形成を行う場合と同様の処理を行うことができる。
【０１３１】
記録材再供給搬送装置（記録材搬送経路ユニット）９０は、シートの両面に対して画像を記録するために、片面に画像を記録されたシートを記録材の表裏を反転した上で、再度、画像形成装置１００における感光体ドラム３と転写手段６との間（転写部）に向かって供給するためのものである。
【０１３２】
画像形成装置１００において両面画像形成を行う場合、定着装置８によって片面にトナー像を定着されたシートを、一旦反転ローラ２６により積載トレイ１５に向けて搬送する。ただし、この場合、シートを完全に排出せず、シートを狭持させたまま反転ローラ２６を逆転させる。そして、シートを逆方向、つまり記録材再供給搬送装置９０の装着されている方向に、反転搬送する。
【０１３３】
このとき、切換えゲート９は、図１の実線の状態から破線の状態に切換えられる。これにより、反転搬送されたシートは、記録材再供給搬送装置９０を通り、再び画像形成装置１００の転写部に供給される。
【０１３４】
中継搬送装置９１は、図１３に示すように、記録材再供給搬送装置９０と後処理装置９３との間に配設され、画像形成装置１００から排出される画像形成後のシートを後処理装置９３に搬送するものである。なお、中継搬送装置９１は、後処理装置９３との連結部である回動支点９２を中心に、中継搬送装置９１全体が回動可能となるよう支持されている。
【０１３５】
後処理装置９３は、画像形成装置１００から排出される画像形成後のシートに対して、ステープル，パンチ等の後処理を施すものである。
【０１３６】
図１３に示すように、後処理装置９３は、受け取り搬送部９４、第１の記録材排出部９５、第２の記録材排出部９６を備えている。受け取り搬送部９４は、画像形成装置１００から中継搬送装置９１を介して排出されてきたシートを受け取る。また、後処理装置９３は、制御部１１０からの指示に応じて、画像形成装置１００から排出される画像形成後のシートを、第１の記録材排出部９５または第２の記録材排出部９６のいずれかに搬送するようになっている。
【０１３７】
第１の記録材排出部９５は、受け取り搬送部９４によって受け取ったシートを、そのままの状態で排出する排出部である。
【０１３８】
第２の記録材排出部９６は、受け取り搬送部９４によって受け取ったシートに対して、ステープル，パンチ等の後処理を行う後処理手段（図示せず）により後処理を施し、後処理後のシートを排出する排出部である。
【０１３９】
なお、上記後処理手段としては、例えば、所定枚数のシートに対してステープル処理を施す後処理手段、あるいはシートの紙折りする後処理手段、あるいはファイリング用の穴をあける後処理手段、あるいは数ビン〜数１０ビンの記録材排出部を有し、ソートや仕分けを行う後処理手段等を用いることができる。なお、後処理装置９３には、これらの後処理手段の何れか１つ以上を選択して装着できるようになっている。
【０１４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４１】
本発明は、電子写真記録方式や静電記録方式によって感光体上に形成された静電潜像を、粉体現像剤を用いて可視像化する画像形成装置全般に適用できる。
【図面の簡単な説明】
【０１４２】
【図１】本発明の一実施形態にかかる画像形成装置の断面図である。
【図２】本発明の一実施形態にかかる画像形成装置における定着装置の周囲に設けられる断熱壁の構成例を示す断面図である。
【図３】本発明の一実施形態にかかる画像形成装置における、隔離壁および搬送ローラを示す平面図である。
【図４】本発明の一実施形態にかかる画像形成装置に備えられる帯電手段の一部を示す斜視図である。
【図５】本発明の一実施形態にかかる画像形成装置に備えられる帯電手段の断面図である。
【図６】本発明の一実施形態にかかる画像形成装置に備えられる帯電手段の一部を示す平面図である。
【図７】本発明の一実施形態にかかる画像形成装置に備えられる帯電手段の側面図である。
【図８】本発明の一実施形態にかかる画像形成装置に備えられる現像ユニットの断面図である。
【図９】本発明の一実施形態にかかる画像形成装置に備えられる現像ユニットの一部を示す平面図である。
【図１０】本発明の一実施形態にかかる画像形成装置に定着装置の周囲に設けられる断熱壁の他の構成例を示す断面図である。
【図１１】（ａ）は、本発明の一実施形態にかかる画像形成装置において、定着装置にヒートポンプを備える場合の構成例を示す断面図である。（ｂ）は、（ａ）に示したヒートポンプの構成を示す説明図である。
【図１２】本発明の一実施形態にかかる画像形成装置において、帯電手段として帯電ローラを用いる場合の構成例を示す断面図である。
【図１３】本発明の一実施形態にかかる画像形成装置に、各種拡張機器を接続した場合の構成例を示す断面図である。
【符号の説明】
【０１４３】
１    隔離壁（隔離手段）
２    現像ユニット（現像手段）
３    感光体ドラム（感光体）
５    帯電手段
５ａ  帯電ローラ（帯電手段）
６    転写手段
８    定着装置（定着手段）
１１  光走査ユニット（露光手段）
２４  搬送ローラ（搬入手段）
２５  搬送ローラ（搬出手段）
２８  伝熱部材
２９ａ，２９ｂ  放熱フィン（放熱手段）
３０  画像読取装置（画像読取手段）
５８  オゾンフィルタ（オゾン除去手段）
５９  ファン（吸引手段）
６７  ファン（第２の吸引手段）
６７ａ  トナーフィルタ（第２の現像剤除去手段）
８１  定着ローラ（加熱部材）
８２  加圧ローラ（加熱部材）
８３  断熱壁（断熱手段）
８４  外壁部（外包材）
８７  ヒートポンプ（熱回収手段）
１００  画像形成装置
１０１，１０２  シール材（均圧手段）
１１２  ドレーン孔（排出孔、均圧手段）
１１３  ファン
【図１】
2006267944.tif 000003
【図２】
2006267944.tif 000004
【図３】
2006267944.tif 000005
【図４】
2006267944.tif 000006
【図５】
2006267944.tif 000007
【図６】
2006267944.tif 000008
【図７】
2006267944.tif 000009
【図８】
2006267944.tif 000010
【図９】
2006267944.tif 000011
【図１０】
2006267944.tif 000012
【図１１】
2006267944.tif 000013
【図１２】
2006267944.tif 000014
【図１３】
2006267944.tif 000015